(57)【要約】【課題】低コストで、しかも、商品陳列具もしくは陳列棚に強固に固定することのできるＰＯＰホルダーを提供する。【解決手段】陳列トレイ３の少なくとも片方の側面に、その側面に沿う表示ＰＯＰ２を取り付けるためのＰＯＰホルダー１であって、上記陳列トレイ３が、商品を陳列するための略水平面部１１と、この略水平面部１１の前端縁から上方に立設する立設前面部と、この立設前面部の上端縁から折り返され前方に延びる表示用の張り出し面部１３とを備えたものであり、上記ＰＯＰホルダー１の片側面に、上記陳列トレイ３の立設前面部および張り出し面部１３の側端縁の少なくとも一個所の部分と係合して脱落防止がなされるよう構成された係合手段が設けられているとともに、上記ＰＯＰホルダー１の側面に沿って、上記表示ＰＯＰ２が取り付けられるようになっている。【選択図】図９
2010014972.tif 000002
【特許請求の範囲】
【請求項１】
商品陳列具の少なくとも片方の側面に、その側面に沿う表示ＰＯＰを取り付けるためのＰＯＰホルダーであって、上記商品陳列具が、商品を陳列するための略水平面部と、この略水平面部の前端縁から上方に立設する立設前面部と、この立設前面部の上端縁から折り返され前方に延びる表示用の張り出し面部とを備えたものであり、上記ＰＯＰホルダーの片側面に、上記商品陳列具の立設前面部および張り出し面部の側端縁の少なくとも一個所の部分と係合して脱落防止がなされるよう構成された係合手段が設けられているとともに、上記ＰＯＰホルダーの側面に沿って、上記表示ＰＯＰが取り付けられるようになっていることを特徴とするＰＯＰホルダー。
【請求項２】
商品陳列具の少なくとも片方の側面に、その側面に沿う表示ＰＯＰを取り付けるためのＰＯＰホルダーであって、上記商品陳列具が、商品を陳列するための略水平面部と、この略水平面部の側端縁から上方に立設する立設側面部とを備えたものであり、上記ＰＯＰホルダーの片側面に、上記商品陳列具の立設側面部の少なくとも一個所の部分と係合して脱落防止がなされるよう構成された係合手段が設けられているとともに、上記ＰＯＰホルダーの側面に沿って、上記表示ＰＯＰが取り付けられるようになっていることを特徴とするＰＯＰホルダー。
【請求項３】
陳列棚上に載置される商品陳列具の少なくとも片方の側面に、その側面に沿う表示ＰＯＰを取り付けるためのＰＯＰホルダーであって、上記商品陳列具が、商品を陳列するための略水平面部を備えたものであり、上記ＰＯＰホルダーの片側面の下端部から、上記陳列棚と商品陳列具の略水平面部との間に挿入されて脱落防止がなされるよう構成された挿入板が突設されているとともに、上記ＰＯＰホルダーの側面に沿って、上記表示ＰＯＰが取り付けられるようになっていることを特徴とするＰＯＰホルダー。
【請求項４】
商品陳列表示具の少なくとも片方の側面に、その側面に沿う表示ＰＯＰを取り付けるためのＰＯＰホルダーであって、上記商品陳列表示具が、商品を陳列するための陳列棚の前端縁に着脱自在に取り付けられる取り付け部と、上記取り付け部から上方に立設する立設前面部と、この立設前面部の上端縁から折り返され前方に延びる表示用の張り出し面部とを備えたものであり、上記ＰＯＰホルダーの片側面に、上記商品陳列表示具の立設前面部および張り出し面部の側端縁の少なくとも一個所の部分と係合して脱落防止がなされるよう構成された係合手段が設けられているとともに、上記ＰＯＰホルダーの側面に沿って、上記表示ＰＯＰが取り付けられるようになっていることを特徴とするＰＯＰホルダー。
【請求項５】
商品陳列表示具の少なくとも片方の側面に、その側面に沿う表示ＰＯＰを取り付けるためのＰＯＰホルダーであって、上記商品陳列表示具が、商品を陳列するための陳列棚の前端縁から前方に延びる表示用の張り出し面部と、上記陳列棚の側端縁に着脱自在に取り付けられる取り付け部と、上記取り付け部から上方に立設する立設側面部とを備えたものであり、上記ＰＯＰホルダーの片側面に、上記商品陳列表示具の立設側面部の少なくとも一個所の部分と係合して脱落防止がなされるよう構成された脱落防止手段が設けられているとともに、上記ＰＯＰホルダーの側面に沿って、上記表示ＰＯＰが取り付けられるようになっていることを特徴とするＰＯＰホルダー。
【請求項６】
上記ＰＯＰホルダーの、脱落防止のための係合手段形成面と反対側の面に、上記表示ＰＯＰが両面テープで貼着されるようになっている請求項１〜５のいずれか一項に記載のＰＯＰホルダー。
【請求項７】
上記商品陳列具の端面とＰＯＰホルダーの端面との間に表示ＰＯＰが挟持されるようになっている請求項１〜３のいずれか一項に記載のＰＯＰホルダー。
【請求項８】
上記商品陳列表示具の端面とＰＯＰホルダーの端面との間に表示ＰＯＰが挟持されるようになっている請求項４または５記載のＰＯＰホルダー。
【請求項９】
商品陳列具の両側面に、表示ＰＯＰを両持ち状に支受するために取り付けられる一組のＰＯＰホルダーであって、上記商品陳列具が、商品を陳列するための略水平面部と、この略水平面部の前端縁から上方に立設する立設前面部と、この立設前面部の上端縁から折り返され前方に延びる表示用の張り出し面部とを備えたものであり、上記両ＰＯＰホルダーのそれぞれ片側面に、上記商品陳列具の立設前面部および張り出し面部の側端縁の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されていることを特徴とするＰＯＰホルダー。
【請求項１０】
商品陳列具の両側面に、表示ＰＯＰを両持ち状に支受するために取り付けられる一組のＰＯＰホルダーであって、上記商品陳列具が、商品を陳列するための略水平面部と、この略水平面部の側端縁から上方に立設する立設側面部とを備えたものであり、上記両ＰＯＰホルダーのそれぞれ片側面に、上記商品陳列具の立設側面部の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されていることを特徴とするＰＯＰホルダー。
【請求項１１】
陳列棚上に載置される商品陳列具の両側面に、表示ＰＯＰを両持ち状に支受するために取り付けられる一組のＰＯＰホルダーであって、上記商品陳列具が、商品を陳列するための略水平面部を備えたものであり、上記両ＰＯＰホルダーのそれぞれ片側面の下端部から、上記陳列棚と略水平面部との間に挿入されて脱落防止がなされるよう構成された挿入板が突設されているとともに、上記両ＰＯＰホルダーのそれぞれ下部に、上記表示ＰＯＰを片持ち状に支受する支受部が形成されていることを特徴とするＰＯＰホルダー。
【請求項１２】
陳列棚に取り付けられる商品陳列表示具の両側面に、表示ＰＯＰを両持ち状に支受するために取り付けられる一組のＰＯＰホルダーであって、上記商品陳列表示具が、商品を陳列するための陳列棚の前端縁に着脱自在に取り付けられる取り付け部と、上記取り付け部から上方に立設する立設前面部と、この立設前面部の上端縁から折り返され前方に延びる表示用の張り出し面部とを備えたものであり、上記ＰＯＰホルダーのそれぞれ片側面に、上記商品陳列表示具の立設前面部および張り出し面部の側端縁の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されていることを特徴とするＰＯＰホルダー。
【請求項１３】
陳列棚に取り付けられる商品陳列表示具の両側面に、表示ＰＯＰを両持ち状に支受するために取り付けられる一組のＰＯＰホルダーであって、上記商品陳列表示具が、商品を陳列するための陳列棚の前端縁から前方に延びる表示用の張り出し面部と、上記陳列棚の側端縁に着脱自在に取り付けられる取り付け部と、上記取り付け部から上方に立設する立設側面部とを備えたものであり、上記ＰＯＰホルダーのそれぞれ片側面に、上記商品陳列表示具の立設側面部の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されていることを特徴とするＰＯＰホルダー。
【請求項１４】
上記係合手段が、上記立設前面部および張り出し面部の側端縁の少なくとも一個所の部分と係合して抜け止めがなされるようにＰＯＰホルダーの片側面に突設されたガイド片である請求項１，４，９，１２のいずれか一項に記載のＰＯＰホルダー。
【請求項１５】
上記係合手段が、上記立設側面部の少なくとも一個所の部分と係合して抜け止めがなされるようにＰＯＰホルダーの片側面に突設されたガイド片である請求項２，５，１０，１３のいずれか一項に記載のＰＯＰホルダー。
【請求項１６】
上記係合手段が、上記ＰＯＰホルダーの片側面に貼着された両面テープである請求項１〜１３のいずれか一項に記載のＰＯＰホルダー。
【発明の詳細な説明】
【技術分野】
【０００１】
本発明は、商品に関する各種情報が表示された販促用ＰＯＰを保持するためのＰＯＰホルダーに関するものである。
【背景技術】
【０００２】
従来から、化粧品等，各種商品の販売店等では、その店頭に商品陳列用什器を置き、顧客自身が店頭で商品を自由に選択することができるようにした店が増えてきている。このような店では、顧客の注意喚起や商品説明のために、陳列棚等に各種商品の販促用ＰＯＰを、クリップで取り付けることが多く行われている。このようなクリップとして、図２８に示すようなクリップが提案されている（例えば、特許文献１）。このクリップは、マグネット式の台座部３１と、この台座部３１の上面に、取付部材３２を介して前後方向に回動自在に取り付けられる挟持部３３とを備え、什器（図示せず）の垂直面３４に、上記台座部３１をその磁性で固定し、挟持部３３に販促用ＰＯＰ３５を挟持するようになっている。
【特許文献１】特開２０００−２５０４１０号公報
【発明の開示】
【発明が解決しようとする課題】
【０００３】
しかしながら、上記のクリップは、台座部３１，取付部材３２，挟持部３３等の複数のパーツで構成されているため、製造コストが高いだけでなく、什器の垂直面３４に、磁性を利用して固定されるため、外れやすく、顧客等の腕や手指等が当たると、床上等に落ちやすいという問題がある。また、挟持部３３に挟んだ販促用ＰＯＰ３５もグラグラしたり外れやすいという問題がある。
【０００４】
本発明は、このような事情に鑑みなされたもので、低コストで、しかも、商品陳列具もしくは陳列棚に強固に固定することができ、ＰＯＰを安定的に保持することのできるＰＯＰホルダーの提供をその目的とする。
【課題を解決するための手段】
【０００５】
上記の目的を達成するため、本発明は、商品陳列具の少なくとも片方の側面に、その側面に沿う表示ＰＯＰを取り付けるためのＰＯＰホルダーであって、上記商品陳列具が、商品を陳列するための略水平面部と、この略水平面部の前端縁から上方に立設する立設前面部と、この立設前面部の上端縁から折り返され前方に延びる表示用の張り出し面部とを備えたものであり、上記ＰＯＰホルダーの片側面に、上記商品陳列具の立設前面部および張り出し面部の側端縁の少なくとも一個所の部分と係合して脱落防止がなされるよう構成された係合手段が設けられているとともに、上記ＰＯＰホルダーの側面に沿って、上記表示ＰＯＰが取り付けられるようになっているＰＯＰホルダーを第１の要旨とする。
【０００６】
また、本発明は、商品陳列具の少なくとも片方の側面に、その側面に沿う表示ＰＯＰを取り付けるためのＰＯＰホルダーであって、上記商品陳列具が、商品を陳列するための略水平面部と、この略水平面部の側端縁から上方に立設する立設側面部とを備えたものであり、上記ＰＯＰホルダーの片側面に、上記商品陳列具の立設側面部の少なくとも一個所の部分と係合して脱落防止がなされるよう構成された係合手段が設けられているとともに、上記ＰＯＰホルダーの側面に沿って、上記表示ＰＯＰが取り付けられるようになっているＰＯＰホルダーを第２の要旨とする。
【０００７】
また、本発明は、陳列棚上に載置される商品陳列具の少なくとも片方の側面に、その側面に沿う表示ＰＯＰを取り付けるためのＰＯＰホルダーであって、上記商品陳列具が、商品を陳列するための略水平面部を備えたものであり、上記ＰＯＰホルダーの片側面の下端部から、上記陳列棚と商品陳列具の略水平面部との間に挿入されて脱落防止がなされるよう構成された挿入板が突設されているとともに、上記ＰＯＰホルダーの側面に沿って、上記表示ＰＯＰが取り付けられるようになっているＰＯＰホルダーを第３の要旨とする。
【０００８】
さらに、本発明は、商品陳列表示具の少なくとも片方の側面に、その側面に沿う表示ＰＯＰを取り付けるためのＰＯＰホルダーであって、上記商品陳列表示具が、商品を陳列するための陳列棚の前端縁に着脱自在に取り付けられる取り付け部と、上記取り付け部から上方に立設する立設前面部と、この立設前面部の上端縁から折り返され前方に延びる表示用の張り出し面部とを備えたものであり、上記ＰＯＰホルダーの片側面に、上記商品陳列表示具の立設前面部および張り出し面部の側端縁の少なくとも一個所の部分と係合して脱落防止がなされるよう構成された係合手段が設けられているとともに、上記ＰＯＰホルダーの側面に沿って、上記表示ＰＯＰが取り付けられるようになっているＰＯＰホルダーを第４の要旨とする。
【０００９】
さらに、本発明は、商品陳列表示具の少なくとも片方の側面に、その側面に沿う表示ＰＯＰを取り付けるためのＰＯＰホルダーであって、上記商品陳列表示具が、商品を陳列するための陳列棚の前端縁から前方に延びる表示用の張り出し面部と、上記陳列棚の側端縁に着脱自在に取り付けられる取り付け部と、上記取り付け部から上方に立設する立設側面部とを備えたものであり、上記ＰＯＰホルダーの片側面に、上記商品陳列表示具の立設側面部の少なくとも一個所の部分と係合して脱落防止がなされるよう構成された脱落防止手段が設けられているとともに、上記ＰＯＰホルダーの側面に沿って、上記表示ＰＯＰが取り付けられるようになっているＰＯＰホルダーを第５の要旨とする。
【００１０】
そして、本発明は、商品陳列具の両側面に、表示ＰＯＰを両持ち状に支受するために取り付けられる一組のＰＯＰホルダーであって、上記商品陳列具が、商品を陳列するための略水平面部と、この略水平面部の前端縁から上方に立設する立設前面部と、この立設前面部の上端縁から折り返され前方に延びる表示用の張り出し面部とを備えたものであり、上記両ＰＯＰホルダーのそれぞれ片側面に、上記商品陳列具の立設前面部および張り出し面部の側端縁の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されているＰＯＰホルダーを第６の要旨とする。
【００１１】
また、本発明は、商品陳列具の両側面に、表示ＰＯＰを両持ち状に支受するために取り付けられる一組のＰＯＰホルダーであって、上記商品陳列具が、商品を陳列するための略水平面部と、この略水平面部の側端縁から上方に立設する立設側面部とを備えたものであり、上記両ＰＯＰホルダーのそれぞれ片側面に、上記商品陳列具の立設側面部の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されているＰＯＰホルダーを第７の要旨とする。
【００１２】
また、本発明は、陳列棚上に載置される商品陳列具の両側面に、表示ＰＯＰを両持ち状に支受するために取り付けられる一組のＰＯＰホルダーであって、上記商品陳列具が、商品を陳列するための略水平面部を備えたものであり、上記両ＰＯＰホルダーのそれぞれ片側面の下端部から、上記陳列棚と略水平面部との間に挿入されて脱落防止がなされるよう構成された挿入板が突設されているとともに、上記両ＰＯＰホルダーのそれぞれ下部に、上記表示ＰＯＰを片持ち状に支受する支受部が形成されているＰＯＰホルダーを第８の要旨とする。
【００１３】
さらに、本発明は、陳列棚に取り付けられる商品陳列表示具の両側面に、表示ＰＯＰを両持ち状に支受するために取り付けられる一組のＰＯＰホルダーであって、上記商品陳列表示具が、商品を陳列するための陳列棚の前端縁に着脱自在に取り付けられる取り付け部と、上記取り付け部から上方に立設する立設前面部と、この立設前面部の上端縁から折り返され前方に延びる表示用の張り出し面部とを備えたものであり、上記ＰＯＰホルダーのそれぞれ片側面に、上記商品陳列表示具の立設前面部および張り出し面部の側端縁の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されているＰＯＰホルダーを第９の要旨とする。
【００１４】
さらに、本発明は、陳列棚に取り付けられる商品陳列表示具の両側面に、表示ＰＯＰを両持ち状に支受するために取り付けられる一組のＰＯＰホルダーであって、上記商品陳列表示具が、商品を陳列するための陳列棚の前端縁から前方に延びる表示用の張り出し面部と、上記陳列棚の側端縁に着脱自在に取り付けられる取り付け部と、上記取り付け部から上方に立設する立設側面部とを備えたものであり、上記ＰＯＰホルダーのそれぞれ片側面に、上記商品陳列表示具の立設側面部の少なくとも一個所の部分と係合して脱落防止がなされるよう構成された係合手段が設けられているとともに、上記両ＰＯＰホルダーのそれぞれ下部に、上記表示ＰＯＰを片持ち状に支受する支受部が形成されているＰＯＰホルダーを第１０の要旨とする。
【発明の効果】
【００１５】
すなわち、本発明の第１および第２のＰＯＰホルダーは、商品陳列具の少なくとも片方の側面に、その側面に沿う表示ＰＯＰを取り付けるためのものであり、商品陳列具と直接係合する脱落防止用の係合手段と、表示ＰＯＰを支受する支受部とが一体的に形成された１つのパーツで構成されているため、低コストになる。しかも、本発明の第１のＰＯＰホルダーは、その係合手段により、商品陳列具の立設前面部および張り出し面部の側端縁の少なくとも一個所の部分に係合され、脱落防止がなされるようになっているため、商品陳列具に強固に固定することができ、顧客等の腕や手指等が当たっても、商品陳列具から外れて床上等に落ちるおそれがない。そして、表示ＰＯＰを、第１のＰＯＰホルダーの側面で、その側面に沿って面状に支受するようになっているため、表示ＰＯＰを安定して支受することができる。また、第２のＰＯＰホルダーは、商品陳列具の立設側面部の少なくとも一個所の部分に係合されて脱落防止がなされるようになっているため、第１のＰＯＰホルダーと同様の効果を奏する。
【００１６】
また、本発明の第３のＰＯＰホルダーは、陳列棚上に載置される商品陳列具の少なくとも片方の側面に、その側面に沿う表示ＰＯＰを取り付けるためのものであり、陳列棚と商品陳列具の略水平面部との間に直接挿入される挿入板と、表示ＰＯＰを支受する支受部とが一体的に形成された１つのパーツで構成されているため、製造コストが安価になる。しかも、上記挿入板が、陳列棚と上記略水平面部間に挿入され、脱落防止がなされるようになっているため、陳列棚上に安定して保持することができ、顧客等の腕や手指等が当たっても、陳列棚上から離れて床下等に落ちるおそれがない。また、表示ＰＯＰを、第３のＰＯＰホルダーの側面で、その側面に沿って面状に支受するようになっているため、表示ＰＯＰを安定して支受することができる。
【００１７】
また、本発明の第４および第５のＰＯＰホルダーは、商品を陳列するための陳列棚に取り付けられる商品陳列表示具の少なくとも片方の側面に、その側面に沿う表示ＰＯＰを取り付けるためのものであり、第１および第２のＰＯＰホルダーにおける係合手段、支受部と同様の、係合手段、支受部が形成されているため、第４および第５のＰＯＰホルダーも、第１および第２のＰＯＰホルダーと同様の作用・効果を奏する。
【００１８】
さらに、本発明の第１〜第５のＰＯＰホルダーにおいて、上記ＰＯＰホルダーの、脱落防止のための係合手段形成面と反対側の面に、上記表示ＰＯＰが両面テープで貼着されるようになっている場合は、この両面テープによって、多様な形状の表示ＰＯＰを、その形状に関係なく、安定した状態で取り付けることができる。
【００１９】
さらに、本発明の第１〜第５のＰＯＰホルダーにおいて、上記商品陳列具の端面とＰＯＰホルダーの端面との間、もしくは、上記商品陳列表示具の端面とＰＯＰホルダーの端面との間に表示ＰＯＰが挟持されるようになっている場合は、上記表示ＰＯＰを、商品陳列具とＰＯＰホルダーとの間、もしくは、商品陳列表示具の端面とＰＯＰホルダーの端面との間に保持することができる。
【００２０】
また、本発明の第６および第７のＰＯＰホルダーは、商品陳列具の両側面に、表示ＰＯＰを両持ち状に支受するために取り付けられるものであって、左右一組で用いられる。そして、このものも、第１および第２のＰＯＰホルダーにおける係合手段、支受部と同様の、係合手段、支受部が形成されているため、第１および第２のＰＯＰホルダーと同様の作用・効果を奏する。
【００２１】
また、本発明の第８のＰＯＰホルダーは、陳列棚上に載置される商品陳列具の両側面に、表示ＰＯＰを両持ち状に支受するために取り付けられるものであって、左右一組で用いられる。そして、このものも、第３のＰＯＰホルダーにおける挿入板、支受部と同様の、挿入板、支受部が形成されているため、第３のＰＯＰホルダーと同様の作用・効果を奏する。
【００２２】
また、本発明の第９および第１０のＰＯＰホルダーは、第６および第７のＰＯＰホルダーを、陳列棚に取り付けられる商品陳列表示具に用いたものであり、第６および第７のＰＯＰホルダーと同様の作用・効果を奏する。
【００２３】
さらに、本発明のＰＯＰホルダーにおいて、上記係合手段が、商品陳列具や商品陳列表示具の立設前面部，張り出し面部等の少なくとも一個所の部分と係合して抜け止めがなされるよう、その片側面に突設されたガイド片である場合は、上記係合手段によって、ＰＯＰホルダーを、より安定した状態で取り付けることができる。
【００２４】
さらに、本発明のＰＯＰホルダーにおいて、上記係合手段が、上記ＰＯＰホルダーの片側面に貼着された両面テープである場合は、この両面テープによって、多様な形状のＰＯＰホルダーを、その形状にかかわらず、安定した状態で取り付けることができる。
【発明を実施するための最良の形態】
【００２５】
つぎに、本発明を実施するための最良の形態について説明する。ただし、本発明は、この実施の形態に限られるものではない。
【００２６】
図１および図２は、本発明のＰＯＰホルダーの一実施の形態を示している。このＰＯＰホルダー１は、図８に示すような陳列トレイ（商品陳列具）３の右側に、表示ＰＯＰ２を取り付けるためのものである（図７および図９参照）。
【００２７】
上記陳列トレイ３は、従来公知の商品陳列用什器の陳列棚（図示せず）に載置されるもので、図８に示すように、化粧品等の商品（図示せず）を載置して陳列するための略水平面部１１と、この略水平面部１１の前端縁から上方に立設される立設前面部１２と、この立設前面部１２の上端部から折り返されて前方に下り傾斜状に延びる商品情報の表示用の張り出し面部１３とからなっている。そして、上記立設前面部１２の左右両側部１２ａに、ＰＯＰホルダー１の脱落防止用の係合板１４がそれぞれ形成され（左側の係合板１４は見えない）、さらに上記係合板１４の上端部から左右の側方に、係合片１４ａが延設されている。
【００２８】
一方、上記陳列トレイ３の、向かって右側面に取り付けられるＰＯＰホルダー１は、図１に示すように、平板を垂直に立てた形状の本体板部１５を有し、その向かって左側の面が、陳列トレイ３との係合に用いられ、その向かって右側の面が表示ＰＯＰ２との係合に用いられるようになっている。
【００２９】
より詳しく説明すると、上記ＰＯＰホルダー１を左側から見た斜視図である図２に示すように、上記本体板部１５の左側面の略中央には、逆Ｌ字状に突設する固定板１６が形成されており、その固定板１６の縦辺部１６ａと相対するようにして、ガイド片１７が突設されている。そして、上記縦辺部１６ａとガイド片１７との間が、図５に示すように、陳列トレイ３の係合板１４を左右方向にスライドさせて嵌入することができる隙間になっている。また、上記ガイド片１７の下端部の、上記隙間側の面には、下側突部１７ａが突設されており、上記係合板１４が上記隙間に嵌入された状態で、上記下側突部１７ａにより上記係合板１４の一部が抜け止めされるようになっている。なお、図３に示すように、上記縦辺部１６ａとガイド片１７の間の、下側突部１７ａの近傍部には、切欠き部１７ｂが設けられており、上記下側突部１７ａが矢印Ｐ（図４参照）のように撓むようになっている。
【００３０】
また、上記固定板１６の逆Ｌ字状の横辺部１６ｂの下面には、上側突部１６ｃが突設されており、この上側突部１６ｃにより、図６に示すように、ＰＯＰホルダー１を陳列トレイ３に取り付ける際、陳列トレイ３の左右両側部１２ａの上端部１２ｂが抜け止めされるようになっている。また、上記横辺部１６ｂの根元部に、陳列トレイ３の係合片１４ａを挿入するための切欠き穴１５ａが穿設されている。
【００３１】
また、上記本体板部１５の左側面の、ガイド片１７より手前の部分には、図２に示すように、その外周縁から垂直方向にフランジ部１８が突設されており、図７に示すように、このフランジ部１８の下辺部分１８ａに、陳列トレイ３の張り出し面部１３の下端部１３ａが載置されるようになっている。また、上記フランジ部１８（図２に戻る）の下辺部分１８ａには、上記張り出し面部１３の下端部１３ａを上記下辺部分１８ａの前部に位置決めするための位置決め用突部１９が突設されている。なお、２０は、陳列トレイ３の張り出し面部１３に略沿う形状の切欠き部である。
【００３２】
一方、ＰＯＰホルダー１の右側面は、すでに述べたように、表示ＰＯＰ２との係合に用いられるもので、図１に示すように、切欠き部２０より後側の下端縁から水平方向に、表示ＰＯＰ２を支受するための下板２１が突設されている。そして、その上面から上向きに前後一対のガイド板２２，２３が突設されており、両ガイド板２２，２３との間が、表示ＰＯＰ２の係合部２ａを上下方向にスライドさせて嵌入することができる隙間になっている。また、後側のガイド板２２の内側上端縁には、この部分に嵌入された表示ＰＯＰ２の係合部２ａを押圧するための突部２２ａが突設されており、この突部２２ａの押圧によって、表示ＰＯＰ２の抜け止めがなされるようになっている。
【００３３】
上記ＰＯＰホルダー１を、つぎのようにして、陳列トレイ３の片側面に取り付けることができる。すなわちまず、ＰＯＰホルダー１を陳列トレイ３の一側方に配置し、ＰＯＰホルダー１の固定板１６，ガイド片１７間およびフランジ部１８の下辺部分１８ａの前部を、陳列トレイ３の立設前面部１２および張り出し面部１３の下端部１３ａに相対するように位置決めし、その状態で、ＰＯＰホルダー１を陳列トレイ３の開口端に押し付ける。
【００３４】
これにより、陳列トレイ３の係合板１４がガイド片１７に案内されて固定板１６，ガイド片１７間の隙間に挿入され、この挿入の途中で、係合板１４の前端部が下側突部１７ａに当たり、この当接によりガイド片１７が前方に撓んで上記前端部が下側突部１７ａを乗り越え、係合板１４が上記隙間に嵌入される。これにより、図５に示すように、係合板１４が下側突部１７ａにより抜け止めされる。また、上記ＰＯＰホルダー１の押し付けにより、上記立設前面部１２の一側部１２ａの上端部１２ｂが固定板１６の上側突部１６ｃに当接し、この当接により固定板１６の横辺部１６ｂが上方に撓んで上記上端部１２ｂが上側突部１６ｃの下側を通り抜けるとともに、陳列トレイ３の係合片１４ａが本体板部１５の切欠き穴１５ａに挿入される。これにより、図６に示すように、上記上端部１２ｂが上側突部１６ｃにより抜け止めされる。また、ＰＯＰホルダー１のフランジ部１８の下辺部分１８ａに、図７に示すように、陳列トレイ３の張り出し面部１３の下端部１３ａが位置決めされる。
【００３５】
このようにして、ＰＯＰホルダー１を陳列トレイ３の片側面に取り付けることができる。
【００３６】
つぎに、表示ＰＯＰ２を、つぎのようにして、ＰＯＰホルダー１の右側面に取り付けることができる。すなわち、まず、表示ＰＯＰ２をＰＯＰホルダー１の右側面に沿って配置し、表示ＰＯＰ２の係合部２ａを、ＰＯＰホルダー１の本体板部１５と両ガイド板２２，２３間の隙間の上方に、これと相対するように位置決めし、その状態で、図４に示すように、表示ＰＯＰ２の係合部２ａを上記隙間に嵌入する。これにより、上記係合部２ａが突部２２ａによって押圧され、抜け止めがなされる。
【００３７】
上記の構成によれば、ＰＯＰホルダー１は、本体板部１５に固定板１６、ガイド片１７、両ガイド板２２，２３等を突設しただけのものであり、１つのパーツで構成されているため、型成形等により簡単に作製することができ、低コストである。しかも、ＰＯＰホルダー１は、陳列トレイ３に２個所で抜け止めされているため、強固に取り付けることができ、顧客等の腕や手指等が当たっても、陳列トレイ３から外れて床上等に落ちるおそれがない。さらに、表示ＰＯＰ２はＰＯＰホルダー１の右側面に両ガイド板２２，２３、突部２２ａ等によって面状にかつ脱落防止状に保持されるため、安定して支受することができる。
【００３８】
また、上記ＰＯＰホルダー１，表示ＰＯＰ２と左右対称のＰＯＰホルダー１，表示ＰＯＰ２を準備し、左右対称のＰＯＰホルダー１を、上記と同様にして、陳列トレイ３の反対側（左側）に取り付け、左右対称の表示ＰＯＰ２を、上記ＰＯＰホルダー１の左側面に取り付けることができる。
【００３９】
さらに、上記２種類のＰＯＰホルダー１，表示ＰＯＰ２を準備し、図９に示すように、複数（図９では、３つ）の陳列トレイ３を左右に並べ、その左右両端の陳列トレイ３の側面に、それぞれＰＯＰホルダー１を介して表示ＰＯＰ２を取り付けることができる。この使用態様によれば、広い間隔の陳列スペースをつくり、その左右両側に表示ＰＯＰ２を設けて商品に関する広告等を表示することができる。
【００４０】
図１０および図１１は、本発明の他の実施の形態を示している。このＰＯＰホルダー１′は、その右側面に、表示ＰＯＰ２を両面テープ（図示せず）で貼着して固定するようになっている。すなわち、このものは、上記本体板部１５の右側面の前部が、表示ＰＯＰ２を両面テープで貼着しうるよう、平坦面に形成されている。また、その後部には、先の実施の形態における下板２１，両ガイド板２２，２３は設けられておらず、その代わりに断面形状コ字状の棒状体２４が水平に延びており、陳列トレイ３の略水平面部１１の端縁に安定固定させる役割を果たす。それ以外の部分は上記実施の形態と同様であり、同様の部分には同じ符号を付している。この実施の形態のＰＯＰホルダー１′も、上記実施の形態と同様の作用・効果を奏する。
【００４１】
図１２は、図１０および図１１に示すＰＯＰホルダー１′と、左右対称のＰＯＰホルダー１′を、左右一組で用いた使用態様を示している。この使用態様では、什器の陳列棚（図示せず）に載置した陳列トレイ３の左右両側部に、それぞれＰＯＰホルダー１′が取り付けられており、各ＰＯＰホルダー１′の片側面に略半円形状の表示ＰＯＰ２を両面テープ（図示せず）で貼着して固定するようになっている。この使用態様によれば、ＰＯＰホルダー１′に、表示ＰＯＰ２を取り付けるための係合部がないため、表示ＰＯＰ２がどのような形状であっても、陳列トレイ３の両側に安定した状態で取り付けることができる。
【００４２】
また、上記の４種類のＰＯＰホルダー１，１′を用い、什器の上下２段の陳列棚（図示せず）にまたがってＰＯＰホルダー１，１′を取り付けることができる。すなわち、例えば、図１３に示すように、上段の陳列棚では、左右の陳列トレイ３に、ＰＯＰホルダー１が取り付けられ、ＰＯＰホルダー１のガイド板２２，２３と、表示ＰＯＰ２の係合部２ａとが係合することにより表示ＰＯＰ２が保持されている。また、下段の陳列棚では、左右の陳列トレイ３に、ＰＯＰホルダー１′が取り付けられ、ＰＯＰホルダー１′の片側面に両面テープで表示ＰＯＰ２が貼着され、固定されている。この使用態様では、表示ＰＯＰ２が下側のＰＯＰホルダー１′に両面テープで貼着され、固定されているため、店によって上下の陳列棚の間隔が異なる場合にも、その間隔に合わせて用意された表示ＰＯＰ２を、上下左右の４個所のＰＯＰホルダー１，１′によって取り付けることができる。したがって、広い面積の表示ＰＯＰ２によって印象的な広告表示や商品説明を行うことができる。
【００４３】
図１４および図１５は、本発明のさらに他の実施の形態を示している。このＰＯＰホルダー１″は、その本体板部１５の左側面の前部が平坦面に形成されている。また、この平坦面の、上記陳列トレイ３の張り出し面部１３に対応する部分に複数の凸部１５ｂが突設されている。そして、図１６（図１６では、凸部１５ｂは図示せず）に示すように、ＰＯＰホルダー１″を陳列トレイ３の立設前面部１２に取り付けた状態では、上記本体板部１５と陳列トレイ３の張り出し面部１３との間に、隙間ができ、この隙間に表示ＰＯＰ２を挿入しうるようになっている。また、この挿入状態では、表示ＰＯＰ２が本体板部１５の左側面の凸部１５ｂによって押圧され、本体板部１５の左側面と上記張り出し面部１３の右側端面とで挟持されて保持されるようになっている。それ以外の部分は、図１０および図１１に示すＰＯＰホルダー１′と同様であり、同様の部分には同じ符号を付している。この実施の形態のＰＯＰホルダー１″も、図１０および図１１に示すＰＯＰホルダー１′と同様の作用・効果を奏する。
【００４４】
図１７は、本発明のさらに他の実施の形態を示している。この実施の形態では、ＰＯＰホルダー１００は、図１４に示すＰＯＰホルダー１″において、その左側面を、陳列トレイ３の立設前面部１２の係合板１４（図８参照）に両面テープ（図示せず）で貼着して固定するようになっている。すなわち、このものは、ＰＯＰホルダー１００の本体板部１５の左側面の後部が、係合板１４に両面テープで貼着しうるよう、平坦面に形成されている。それ以外の部分は、図１４に示すＰＯＰホルダー１″と同様であり、同様の部分には同じ符号を付している。この実施の形態のＰＯＰホルダー１００も、図１４に示すＰＯＰホルダー１″と同様の作用・効果を奏する。
【００４５】
図１８は、本発明のさらに他の実施の形態を示している。このＰＯＰホルダー１００′は、図１９に示すような、陳列カセット（商品陳列具）４の右側に表示ＰＯＰ２を取り付けるためのものである。
【００４６】
上記陳列カセット４は、従来公知の商品陳列用什器の陳列棚（図示せず）に載置される上面開放状の箱体からなり、例えば、図１９に示すように、化粧品等の商品（図示せず）を載置して陳列するための略水平面部５と、この略水平面部５の前後両端縁から上方に立設される立設前面部６ａ，立設後面部６ｂと、上記略水平面部５の左右両端縁から上方に立設される立設右面部７ａ，立設左面部７ｂと、上記立設前面部６ａの上端部から折り返されて前方に下り傾斜状に延びる商品情報の表示用の張り出し面部８とで構成されている。また、上記立設右面部７ａの内側面には、図２０に示すように、上記ＰＯＰホルダー１００′の係合部２５ａの係合凸部２５ｂに着脱自在に係合する係合凹部７ｃが形成されている。
【００４７】
上記ＰＯＰホルダー１００′（図１８に戻る）は、上記陳列カセット４の側面形状に沿う傾斜した平板状の本体板部２５を有し、その上端縁から左側に向かって、上記陳列カセット４の立設右面部７ａの前部の上半部分に着脱自在に係合する逆Ｌ字状の係合部２５ａが突設されている。そして、この係合部２５ａの内側に、図２０に示すように、上記係合凹部７ｃに着脱自在に係合する係合凸部２５ｂが突設されている。また、上記本体板部１５の下端縁から右側に向かって、上記表示ＰＯＰ２の係合部２ａに係合支受するＬ字状の支受部２５ｃが突設されている。そして、図２０に示すように、上記陳列カセット４の立設右面部７ａにＰＯＰホルダー１００′が取り付けられ、その支受部２５ｃに、鎖線で示すように、表示ＰＯＰ２の係合部２ａが支受されるようになっている。それ以外の部分は、図１〜図９に示すＰＯＰホルダー１と同様であり、同様の部分には同じ符号を付している。この実施の形態のＰＯＰホルダー１００′も、図１〜図９に示すＰＯＰホルダー１と同様の作用・効果を奏する。
【００４８】
図２１は、本発明のさらに他の実施の形態を示している。このＰＯＰホルダー１００″は、図２２に示すように、従来公知の商品陳列用什器の陳列棚９と、この上に載置される陳列トレイ３もしくは陳列カセット４（図２２では、陳列トレイ３）との間にその一部をはさみ込むことによって脱落防止をしたうえで、陳列トレイ３もしくは陳列カセット４の右側面に沿って表示ＰＯＰ２を取り付けるようにしたものである。
【００４９】
すなわち、上記ＰＯＰホルダー１００″は、図２１に示すように、その平板状の本体板部２６の後部の下端部から左側に向かって突設された四角形平板状の挿入板２７を備えており、この挿入板２７が、陳列棚９と陳列トレイ３の略水平面部１１もしくは陳列カセット４の略水平面部５との間に挿入されるようになっている。また、上記本体板部２６の前部の右側面は、両面テープ（図示せず）によって表示ＰＯＰ２に貼着されるようになっている。このようなＰＯＰホルダー１００″は、ブックエンドと同様の作用をし、上記挿入状態で、本体板部２５の後部によって、陳列トレイ３もしくは陳列カセット４が右側に移動するのを阻止できるようになっている。このＰＯＰホルダー１００″も、図１〜図９に示すＰＯＰホルダー１と同様の作用・効果を奏する。
【００５０】
図２３は、本発明のさらに他の実施の形態を示している。このＰＯＰホルダー１０１は、２個一組で用いられ、陳列トレイ３の張り出し面部１３の下方に、この張り出し面部１３に沿って配設される表示ＰＯＰ２を両持ち状に支受するためのものである。このＰＯＰホルダー１０１は、図１０および図１１に示すＰＯＰホルダー１′と基本的には同じ構成であるが、その前部の下端面から下向きに、係合穴２８ａが穿設された蝶番部２８が突設されている。
【００５１】
そして、２個一対のＰＯＰホルダー１０１（図２３に示すＰＯＰホルダー１０１と、これに左右対称のＰＯＰホルダー１０１）がそれぞれ、図２４に示すように、陳列トレイ３の左右両側部に相対した状態で取り付けられ、各ＰＯＰホルダー１０１の蝶番部２８の係合穴２８ａに、表示ＰＯＰ２の左右両側面の上端部から突設される係合突部２ｂ（右側の係合突部２ｂは見えない）がそれぞれ片持ち状に支受されるようになっている。それ以外の部分は、図１０および図１１に示す実施の形態と同様であり、同様の部分には同じ符号を付している。このＰＯＰホルダー１０１も、図１０および図１１に示す実施の形態と同様の作用・効果を奏する。しかも、２個一組のＰＯＰホルダー１０１を用い、上記張り出し面部１３の下方に配設される表示ＰＯＰ２を両持ち状に支受することができるため、陳列された商品の正面に、ＰＯＰを表示することができる。
【００５２】
このような表示ＰＯＰ２を両持ち状に支受するタイプのＰＯＰホルダー１０１′は、上記蝶番部２８以外の部分を、図１〜図９に示すＰＯＰホルダー１と同じ構成にすることもできる。すなわち、図２５に示すように、ＰＯＰホルダー１０１′は、図１〜図９に示すＰＯＰホルダー１と同様の構成であって、その前部の下端面から、係合穴２８ａが穿設された蝶番部２８が突設されている。この実施の形態においても、２個一組のＰＯＰホルダー１０１′を用い、上記張り出し面部１３の下方に配設される表示ＰＯＰ２を両持ち状に支受することができるため、陳列された商品の正面にＰＯＰを表示することができる。しかも、図１〜図９に示すＰＯＰホルダー１等と同様の作用・効果を奏する。
【００５３】
また、上記の各例は、陳列トレイ３にＰＯＰホルダー１等を取り付けた例であるが、他の例として、什器の陳列棚９が、図２６に示すように、その前端部に、商品陳列表示具１０を取り付ける構成になっている場合にも適用することができる。この場合、商品陳列表示具１０に、ＰＯＰホルダー１等を取り付け、これに表示ＰＯＰ２を取り付けることができる。
【００５４】
また、上記各実施の形態において、図２７に示すように、ＰＯＰホルダー１等の位置決め用突部１９に抜け止め用突部１９ａを突設し、陳列トレイ３にＰＯＰホルダー１等を取り付けた際に、上記抜け止め用突部１９ａによって、フランジ部１８の前部に陳列トレイ３の張り出し面部１３の下端部１３ａを抜け止めした状態で固定するようにしてもよい。これにより、ＰＯＰホルダー１を、陳列トレイ３に、上記抜け止め用突部１９ａ，固定板１６の上側突部１６ｃ，ガイド片１７の下側突部１７ａの３個所で抜け止め状に固定することができる。
【図面の簡単な説明】
【００５５】
【図１】本発明のＰＯＰホルダーの一実施の形態を示す斜視図である。
【図２】上記ＰＯＰホルダーを左側から見た斜視図である。
【図３】上記ＰＯＰホルダーの左側面図である。
【図４】上記ＰＯＰホルダーの右側面図である。
【図５】上記ＰＯＰホルダーの作用を示す説明図である。
【図６】上記ＰＯＰホルダーの作用を示す説明図である。
【図７】上記ＰＯＰホルダーの取り付け状態を示す説明図である。
【図８】陳列トレイの斜視図である。
【図９】上記ＰＯＰホルダーの一使用態様を示す斜視図である。
【図１０】本発明のＰＯＰホルダーの他の実施の形態を示す斜視図である。
【図１１】上記ＰＯＰホルダーを左側から見た斜視図である。
【図１２】上記ＰＯＰホルダーの他の使用態様を示す斜視図である。
【図１３】上記ＰＯＰホルダーのさらに他の使用態様を示す斜視図である。
【図１４】本発明のＰＯＰホルダーのさらに他の実施の形態を示す斜視図である。
【図１５】上記ＰＯＰホルダーを左側から見た斜視図である。
【図１６】上記ＰＯＰホルダーのさらに他の使用態様を示す平面図である。
【図１７】本発明のＰＯＰホルダーのさらに他の実施の形態を示す斜視図である。
【図１８】本発明のＰＯＰホルダーのさらに他の実施の形態を示す斜視図である。
【図１９】陳列カセットを示す斜視図である。
【図２０】上記ＰＯＰホルダーのさらに他の使用態様を示す断面図である。
【図２１】本発明のＰＯＰホルダーのさらに他の実施の形態を示す斜視図である。
【図２２】上記ＰＯＰホルダーのさらに他の使用態様を示す断面図である。
【図２３】本発明のＰＯＰホルダーのさらに他の実施の形態を示す斜視図である。
【図２４】上記ＰＯＰホルダーのさらに他の使用態様を示す斜視図である。
【図２５】本発明のＰＯＰホルダーのさらに他の実施の形態を示す斜視図である。
【図２６】陳列棚に取り付けられた商品陳列表示具を示す説明図である。
【図２７】本発明のＰＯＰホルダーの変形例を示す部分的な断面図である。
【図２８】従来例を示す斜視図である。
【符号の説明】
【００５６】
１  ＰＯＰホルダー
２  表示ＰＯＰ
３  陳列トレイ
１１  略水平面部
１３  張り出し面部
【図１】
2010014972.tif 000003
【図２】
2010014972.tif 000004
【図３】
2010014972.tif 000005
【図４】
2010014972.tif 000006
【図５】
2010014972.tif 000007
【図６】
2010014972.tif 000008
【図７】
2010014972.tif 000009
【図８】
2010014972.tif 000010
【図９】
2010014972.tif 000011
【図１０】
2010014972.tif 000012
【図１１】
2010014972.tif 000013
【図１２】
2010014972.tif 000014
【図１３】
2010014972.tif 000015
【図１４】
2010014972.tif 000016
【図１５】
2010014972.tif 000017
【図１６】
2010014972.tif 000018
【図１７】
2010014972.tif 000019
【図１８】
2010014972.tif 000020
【図１９】
2010014972.tif 000021
【図２０】
2010014972.tif 000022
【図２１】
2010014972.tif 000023
【図２２】
2010014972.tif 000024
【図２３】
2010014972.tif 000025
【図２４】
2010014972.tif 000026
【図２５】
2010014972.tif 000027
【図２６】
2010014972.tif 000028
【図２７】
2010014972.tif 000029
【図２８】
2010014972.tif 000030